【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
通信をする際に割り当てられた伝送レートで通信を行う可変伝送レートとされている複数の第１の通信端末手段を備える通信システムにおいて、該第１の通信端末手段が通信を開始する際に、割当可能な最大の伝送レートを割り当てるようにした通信システムにおける周波数資源割当方法であって、前記複数の第１の通信端末手段における各第１の通信端末手段に割り当てられた伝送レートの大きさ毎の累積通信時間情報、前記各第１の通信端末手段の総累積通信時間情報、および、前記伝送レートの大きさ毎の累積通信時間情報と前記総累積通信時間情報とに基づく割当優先順位の評価情報とが少なくとも格納されている管理テーブルを参照して、前記複数の第１の通信端末手段に割り当てられる伝送レートの時間平均値が前記第１の通信端末手段間において略平均化されるように、前記各第１の通信端末手段に所定の大きさの伝送レートを割り当てるようにしたことを特徴とする通信システムにおける周波数資源割当方法。
【請求項２】
前記通信システムには、通信をする際に固定の伝送レートが割り当てられる第２の通信端末手段がさらに備えられており、前記第２の通信端末手段が通信を開始する際に、前記第２の通信端末手段には固定の伝送レートを割り当てるようにしたことを特徴とする請求項１記載の通信システムにおける周波数資源割当方法。
【請求項３】
前記第２の通信端末手段が通信を開始する際に、前記第２の通信端末手段に割り当てる周波数資源が不足している場合は、通信中の前記第１の通信端末手段に対する伝送レートを調整することにより生じさせた周波数資源を、前記第２の通信端末手段に前記固定の伝送レートとして割り当てるようにしたことを特徴とする請求項２記載の通信システムにおける周波数資源割当方法。
【請求項４】
前記管理テーブルの前記評価情報における優先順位の低い順に、前記第１の通信端末手段に割り当てられている伝送レートを低減するよう調整するようにしたことを特徴とする請求項３記載の通信システムにおける周波数資源割当方法。
【請求項５】
前記第１の通信端末手段が通信を終了した時に、該第１の通信端末手段における通信時間情報と割り当てられていた伝送レートの大きさの情報に基づいて、前記管理テーブルを更新するようにしたことを特徴とする請求項１ないし４のいずれかに記載の通信システムにおける周波数資源割当方法。
【請求項６】
前記第１の通信端末手段における通信時間情報と割り当てられている伝送レートの大きさの情報に基づいて、一定時間毎に前記管理テーブルを更新するようにしたことを特徴とする請求項１ないし４のいずれかに記載の通信システムにおける周波数資源割当方法。
【請求項７】
前記第１の通信端末手段に割り当てられる伝送レートの大きさが変更される毎に、該第１の通信端末手段における通信時間情報と割り当てられていた伝送レートの大きさの情報に基づいて、前記管理テーブルを更新するようにしたことを特徴とする請求項１ないし４のいずれかに記載の通信システムにおける周波数資源割当方法。
【請求項８】
前記通信システムが、少なくとも前記第１の通信端末手段と周波数資源の割当を実行する基地局と、複数の基地局を制御する制御局とからなる無線アクセスネットワークと、該無線アクセスネットワーク上の移動端末情報を蓄積するメモリ局が少なくとも含まれているコアネットワークから構成されており、前記コアネットワークにおける前記メモリ局に前記管理テーブルが設置されていることを特徴とする請求項１ないし４のいずれかに記載の通信システムにおける周波数資源割当方法。
【請求項９】
前記通信システムが、少なくとも前記第１の通信端末手段と周波数資源の割当を実行する基地局と、複数の基地局を制御する制御局とからなる無線アクセスネットワークと、該無線アクセスネットワーク上の移動端末情報を蓄積するメモリ局が少なくとも含まれているコアネットワークから構成されており、前記無線アクセスネットワークにおける前記制御局に前記管理テーブルが設置されていることを特徴とする請求項１ないし４のいずれかに記載の通信システムにおける周波数資源割当方法。
【請求項１０】
前記通信システムが、少なくとも前記第１の通信端末手段と周波数資源の割当を実行する基地局と、複数の基地局を制御する制御局とからなる無線アクセスネットワークと、該無線アクセスネットワーク上の移動端末情報を蓄積するメモリ局が少なくとも含まれているコアネットワークから構成されており、前記無線アクセスネットワークにおける前記基地局に、該基地局が制御している前記第１の通信端末手段に関する前記管理テーブルが設置されていることを特徴とする請求項１ないし４のいずれかに記載の通信システムにおける周波数資源割当方法。
【請求項１１】
前記通信システムが、少なくとも前記第１の通信端末手段と周波数資源の割当を実行する基地局と、複数の基地局を制御する制御局とからなる無線アクセスネットワークと、該無線アクセスネットワーク上の移動端末情報を蓄積するメモリ局が少なくとも含まれているコアネットワークから構成されており、前記無線アクセスネットワークにおける前記第１の通信端末手段に、自機に関する前記管理テーブルが設置されていることを特徴とする請求項１ないし４のいずれかに記載の通信システムにおける周波数資源割当方法。
【請求項１２】
前記評価情報は、前記各第１の通信端末手段の総累積通信時間情報に対する前記各第１の通信端末手段に割り当てられた最も小さい伝送レートの累積通信時間情報の割合から算定された割当優先順位の情報とされていることを特徴とする請求項１ないし４のいずれかに記載の通信システムにおける周波数資源割当方法。
【請求項１３】
前記評価情報は、前記各第１の通信端末手段の総累積通信時間情報に対する前記各第１の通信端末手段に割り当てられた最も大きい伝送レートの累積通信時間情報の割合から算定された割当優先順位の情報とされていることを特徴とする請求項１ないし４のいずれかに記載の通信システムにおける周波数資源割当方法。
【請求項１４】
前記評価情報は、前記各第１の通信端末手段の総累積通信時間情報に対する前記各第１の通信端末手段に割り当てられた伝送レートの大きさ毎の累積通信時間情報の割合から算出された時間平均された伝送レートの大きさに基づいて算定された割当優先順位の情報とされていることを特徴とする請求項１ないし４のいずれかに記載の通信システムにおける周波数資源割当方法。
【請求項１５】
前記評価情報は、前記各第１の通信端末手段の総累積通信時間情報に対する前記各第１の通信端末手段に割り当てられた伝送レートの大きさ毎の累積通信時間情報の割合にそれぞれ異なる重み付けをして算出された時間平均された伝送レートの大きさに基づいて算定された割当優先順位の情報とされていることを特徴とする請求項１ないし４のいずれかに記載の通信システムにおける周波数資源割当方法。
【請求項１６】
通信をする際に割り当てられた伝送レートで通信を行う可変伝送レートとされている複数の第１の通信端末手段を備える通信システムにおいて、該第１の通信端末手段が通信を開始する際に、割当可能な最大の伝送レートを割り当てるようにした通信システムであって、
前記複数の第１の通信端末手段における各第１の通信端末手段に割り当てられた伝送レートの大きさ毎の累積通信時間情報、前記各第１の通信端末手段の総累積通信時間情報、および、前記伝送レートの大きさ毎の累積通信時間情報と前記総累積通信時間情報とに基づく割当優先順位の評価情報とが少なくとも格納されている管理テーブルと、
前記管理テーブルを参照して、前記複数の第１の通信端末手段に割り当てられている伝送レートの時間平均値が前記第１の通信端末手段間において略平均化されるように、前記各第１の通信端末手段に所定の大きさの伝送レートを割り当てる基地局を備えたことを特徴とする通信システム。
【請求項１７】
通信をする際に割り当てられた伝送レートで通信を行う可変伝送レートとされている複数の第１の通信端末手段を備える通信システムにおいて、該第１の通信端末手段が通信を開始する際に、割当可能な最大の伝送レートを割り当てるようにした通信システムであって、
前記複数の第１の通信端末手段における各第１の通信端末手段に割り当てられた伝送レートの大きさ毎の累積通信時間情報、前記各第１の通信端末手段の総累積通信時間情報、および、前記伝送レートの大きさ毎の累積通信時間情報と前記総累積通信時間情報とに基づく割当優先順位の評価情報とが少なくとも格納されている管理テーブルと、
前記管理テーブルを参照して、前記複数の第１の通信端末手段に割り当てられている伝送レートの時間平均値が前記第１の通信端末手段間において略平均化されるように、前記各第１の通信端末手段に所定の大きさの伝送レートを割り当てる制御局を備えたことを特徴とする通信システム。
【手続補正２】
【補正対象書類名】明細書
【補正対象項目名】００１６
【補正方法】変更
【補正の内容】
【００１６】
さらにまた、本発明においては、従来のようにランダムに決められる同レベルのサービスクラス間の優先度に基づくのではなく、同レベルのサービスクラスの第１の通信端末手段について過去の通信実績を収集しそれを反映した優先度に基づき伝送レートを割り当てることができる。これにより、同レベルのサービスクラスの第１の通信端末手段間における伝送レート割り当ての公平性を常に保つ効果が得られ、第１の通信端末手段を使用するユーザにおける満足度の向上と、周波数資源を最大限に活用することが可能となる。
また、本発明は、通信をする際に割り当てられた伝送レートで通信を行う可変伝送レートとされている複数の第１の通信端末手段を備える通信システムにおいて、該第１の通信端末手段が通信を開始する際に、割当可能な最大の伝送レートを割り当てるようにした通信システムであって、前記複数の第１の通信端末手段における各第１の通信端末手段に割り当てられた伝送レートの大きさ毎の累積通信時間情報、前記各第１の通信端末手段の総累積通信時間情報、および、前記伝送レートの大きさ毎の累積通信時間情報と前記総累積通信時間情報とに基づく割当優先順位の評価情報とが少なくとも格納されている管理テーブルと、前記管理テーブルを参照して、前記複数の第１の通信端末手段に割り当てられている伝送レートの時間平均値が前記第１の通信端末手段間において略平均化されるように、前記各第１の通信端末手段に所定の大きさの伝送レートを割り当てる基地局を備えたことを特徴とする通信システムである。
さらに、本発明は、通信をする際に割り当てられた伝送レートで通信を行う可変伝送レートとされている複数の第１の通信端末手段を備える通信システムにおいて、該第１の通信端末手段が通信を開始する際に、割当可能な最大の伝送レートを割り当てるようにした通信システムであって、前記複数の第１の通信端末手段における各第１の通信端末手段に割り当てられた伝送レートの大きさ毎の累積通信時間情報、前記各第１の通信端末手段の総累積通信時間情報、および、前記伝送レートの大きさ毎の累積通信時間情報と前記総累積通信時間情報とに基づく割当優先順位の評価情報とが少なくとも格納されている管理テーブルと、前記管理テーブルを参照して、前記複数の第１の通信端末手段に割り当てられている伝送レートの時間平均値が前記第１の通信端末手段間において略平均化されるように、前記各第１の通信端末手段に所定の大きさの伝送レートを割り当てる制御局を備えたことを特徴とする通信システムである。